(57)【要約】      （修正有）【課題】燃焼体周辺のガス濃度にバラツキが生じにくく、かつ、低コストで各種ガス濃度と燃焼体が燃焼するかしないかの関係を容易に観察することのできる燃焼観察実験装置を提供する。【解決手段】開口部２を有する透明な硬質材料製の容器１（半分に切ったペットボトル）と、開口部２を覆うポリエチレン袋３と、容器１の下部の孔４（ペットボトルの注ぎ口）を塞ぐ薄いポリエチレンフィルム５と、容器１の側面に設けた孔部６と、孔部６と気体排出用ポンプ７及び実験ガス導入用シリンダー８を接続する管９と、孔部６と気体排出用ポンプ７及び実験ガス導入用シリンダー８との間を開閉する開閉部材１０を備えている燃焼観察実験装置。【選択図】図１
2017026720.tif 000002
【特許請求の範囲】
【請求項１】
少なくとも一つの孔部及び開口部を有する硬質材料製の容器と、
前記孔部を開放状態及び閉鎖状態のいずれかに変更可能な開閉部材と、
前記開口部を覆う柔軟な袋状部材とを備え、
前記容器又は前記袋状部材の少なくとも一部が透明であり、前記袋状部材の容積は前記容器の内容積以上になり得る
ことを特徴とする燃焼観察実験装置。
【請求項２】
前記容器は二つの孔部を有し、
一方の孔部は前記容器内の気体排出用又は前記容器内への実験ガス導入用であり、
他方の孔部は前記容器内への燃焼体挿入用である
ことを特徴とする請求項１に記載の燃焼観察実験装置。
【請求項３】
前記容器内に導入する実験ガスを封入可能な実験ガス貯留容器をさらに備えている
ことを特徴とする請求項１又は２に記載の燃焼観察実験装置。
【請求項４】
前記実験ガス貯留容器は、少なくとも一つの通気口を有する柔軟な袋体と、前記通気口を開放状態及び閉鎖状態のいずれかに変更可能な開閉体を有している
ことを特徴とする請求項１ないし３のいずれかに記載の燃焼観察実験装置。
【発明の詳細な説明】
【技術分野】
【０００１】
この発明は、理科教材として利用される燃焼観察実験装置に関するものである。
【背景技術】
【０００２】
小学生や大学生を対象に燃焼現象に対する理解度を調査したところ、大学生になっても燃焼現象に対する理解度は低く、密閉された空間で燃焼していたロウソクが消えた後の密閉空間内における気体の酸素濃度は０％と回答するものが多いことなど、火が消える原因を理解できていない児童や学生が多いという結果が得られた。
【０００３】
従来、特許文献１（特開２０１０−１４５４６１号公報）に記載されるように、密閉空間内にろうそくと植物とを収納し、燃焼から光合成まで連続した実験を実施するとともに、二酸化炭素や酸素濃度の増減を測定し観察できるようにする装置が提案されている。
【０００４】
また、非特許文献１には、任意の濃度の気体の中でロウソクが燃焼するかしないかを実験、観察するための教材であって、気体採取容器（チャック付きポリ袋）、シリコンチューブ、三方活栓、シリンジ、実験用酸素ボンベ、実験用二酸化炭素ボンベ、実験用窒素ボンベ、検知管式気体濃度測定器、ロウソク、ロウソク燃焼実験用燃焼さじを利用したものが紹介されている。
【先行技術文献】
【特許文献】
【０００５】
【特許文献１】特開２０１０−１４５４６１号公報
【非特許文献】
【０００６】
【非特許文献１】寺田光宏、菱田美歩、「ロウソクの燃焼における消火条件の特性及び教材の研究」岐阜聖徳学園大学紀要〈教育学部編〉、２０１４年、第53集、通巻第66号、ｐ．１５５−１６５
【発明の概要】
【発明が解決しようとする課題】
【０００７】
しかし、特許文献１記載の実験装置では、ろうそくが燃焼した前後における二酸化炭素及び酸素濃度の増減は観察できるものの、酸素、二酸化炭素、窒素等のガス濃度とろうそくが燃焼するかしないかの関係を観察することはできず、濃度測定器やファンを備えているため装置が高価になるという問題がある。
また、非特許文献１の教材では、点火したロウソクをロウソク燃焼実験用燃焼さじに立て、混合気体容器のチャックを開け、素早くロウソクを入れて燃焼・消火の確認をするため、混合気体容器内にロウソクを入れた時点におけるロウソク周辺のガス濃度にバラツキが出易い、チャック付きポリ袋は柔軟性がありすぎて取り扱いにくい、ロウソクの燃焼を観察しにくいといった問題がある。
この発明は、これら従来技術の問題点を解決し、燃焼体周辺のガス濃度にバラツキが生じにくく、かつ、低コストで各種ガス濃度と燃焼体が燃焼するかしないかの関係を容易に観察することのできる燃焼観察実験装置を提供することを目的とするものである。
【課題を解決するための手段】
【０００８】
請求項１に係る発明の燃焼観察実験装置は、少なくとも一つの孔部及び開口部を有する硬質材料製の容器と、前記孔部を開放状態及び閉鎖状態のいずれかに変更可能な開閉部材と、前記開口部を覆う柔軟な袋状部材とを備え、前記容器又は前記袋状部材の少なくとも一部が透明であり、前記袋状部材の容積は前記容器の内容積以上になり得ることを特徴とする。
【０００９】
請求項２に係る発明は、請求項１に記載の燃焼観察実験装置において、前記容器は二つの孔部を有し、一方の孔部は前記容器内の気体排出用又は前記容器内への実験ガス導入用であり、他方の孔部は前記容器内への燃焼体挿入用であることを特徴とする。
【００１０】
請求項３に係る発明は、請求項１又は２に記載の燃焼観察実験装置において、前記容器内に導入する実験ガスを封入可能な実験ガス貯留容器をさらに備えていることを特徴とする。
【００１１】
請求項４に係る発明は、請求項３に記載の燃焼観察実験装置において、前記実験ガス貯留容器は、少なくとも一つの通気口を有する柔軟な袋体と、前記通気口を開放状態及び閉鎖状態のいずれかに変更可能な開閉体を有していることを特徴とする。
【発明の効果】
【００１２】
請求項１に係る発明によれば、少なくとも一つの孔部及び開口部を有する硬質材料製の容器と、孔部を開放状態及び閉鎖状態のいずれかに変更可能な開閉部材を備えるとともに、硬質材料製の容器の開口部は柔軟な袋状部材で覆われ、かつ、袋状部材の容積は容器の内容積以上になり得ることから、孔部を通じて容器内部にある気体を排出すれば、袋状部材が容器内に入り込んで容器の内面側に張り付き、容器と袋状部材で仕切られる空間の容積を容易にほぼ０にすることができる。
そして、容器と袋状部材で仕切られる空間の容積がほぼ０になったら孔部を閉鎖状態とし、実験ガスを導入する準備を行った後に、孔部を開放状態として実験ガスを導入すれば、容器と袋状部材で仕切られる空間に実験ガスのみが封入されている状態を容易に作り出すことができる。
その後、孔部を通して燃焼体を実験ガスのみが封入されている容器内部に差し込めば、酸素濃度のバラツキが小さい実験ガス中に燃焼体を配置できるので、酸素濃度の高低及び実験ガスの種類と燃焼体の燃焼時間との関係を、少なくとも一部が透明な硬質材料製の容器又は袋状部材を通して容易に観察することができる。
さらに、硬質材料製の容器にはペットボトル等、袋状部材にはポリエチレン袋等の安価で加工の容易な材料を利用することができるので、低コストで容易に燃焼観察実験装置を製作することができ、教育現場において利用し易いという効果も奏する。
【００１３】
請求項２に係る発明によれば、請求項１に係る発明の効果に加え、容器内の気体排出用又は容器内への実験ガス導入用の孔部と、容器内への燃焼体挿入用の孔部を有しているので、容器内に実験ガスを導入した後、実験ガス導入用の装置を外すことなく容器内へ燃焼体を挿入することができるので、実験の手順を簡素化することができる。
【００１４】
請求項３に係る発明によれば、請求項１又は２に係る発明の効果に加え、容器内に導入する実験ガスを封入可能な実験ガス貯留容器をさらに備えているので、予め酸素ガス及び酸素ガスに混合されるヘリウムガス等を計量して実験ガス貯留容器に封入しておけば、容器内の気体を排出した後すぐに実験ガスを容器内に導入することができる。
【００１５】
請求項４に係る発明によれば、請求項３に係る発明の効果に加え、実験ガス貯留容器が、少なくとも一つの通気口を有する柔軟な袋体と、通気口を開放状態及び閉鎖状態のいずれかに変更可能な開閉体を有しているので、袋体内部の気体を排出した後に、酸素ガス及び酸素ガスに混合されるヘリウムガス等を計量して袋体内部に導入すれば、実験ガス貯留容器内に計量された酸素ガス及びヘリウムガス等のみが混合されている実験ガスを容易に封入することができる。
【図面の簡単な説明】
【００１６】
【図１】実施例１に係る燃焼観察実験装置の斜視図。
【図２】燃焼観察実験装置内部の気体を排出した状態の斜視図。
【図３】燃焼観察実験装置に実験ガスを導入した状態の斜視図。
【図４】燃焼観察実験装置に燃焼体を挿入した状態の斜視図。
【図５】各種実験ガスの酸素濃度と燃焼体の燃焼時間の関係を示すグラフ。
【図６】実験ガス貯留容器に各種ガスを計量して封入する装置を示す図。
【図７】図５の酸素濃度を対数で表したグラフ。
【図８】実施例２に係る燃焼観察実験装置の一部を示す斜視図。
【発明を実施するための形態】
【００１７】
以下、実施例によって本発明の実施形態を説明する。
【実施例１】
【００１８】
図１は実施例１に係る燃焼観察実験装置の斜視図である。
実施例１に係る燃焼観察実験装置は、市販の容量５００〜２０００ｍｌ程度のペットボトルを半分程度に切ってなる透明な硬質材料製の容器１と、ペットボトルを切った部分に形成される円形の開口部２と、開口部２を覆うとともに膨らんだ時に容器１の内容積以上の容積となるポリエチレン袋等の柔軟な袋状部材３と、ペットボトルの注ぎ口にあたる第１孔部４を塞ぐ薄いポリエチレンフィルム５と、容器１の側面に設けた第２孔部６と、第２孔部６と気体排出用ポンプ７及び実験ガス導入用シリンダー８を接続する第１管路９と、第２孔部６と気体排出用ポンプ７及び実験ガス導入用シリンダー８との間を開閉する第１開閉部材１０（３方コック）を備えている。
また、予め濃度調整された実験ガスを封入しておくことのできる実験ガス貯留容器１１を有している。実験ガス貯留容器１１は、２つの通気口１１ａ、ｂを有する柔軟な袋体１１ｃからなり、各通気口１１ａ、ｂは開放状態及び閉鎖状態のいずれかに変更可能とするための開閉体（図示せず）を有し、実験ガス導入用シリンダー８と通気口１１ａとの間は第２管路１２及び第２管路１２を開閉する第２開閉部材１３（２方コック）を介して接続している。
なお、薄いポリエチレンフィルム５は、輪ゴム等を用いて固定しても良いが、本実施例１では第１孔部４に被せた状態で燃焼体が貫通可能な穴をあけたペットボトルの蓋１４をねじ込んで固定している。
【００１９】
次に、このような構成の燃焼観察実験装置を利用して、燃焼体が酸素ガス濃度が調整された実験ガスの中で燃焼するかしないかを観察する方法を、図２〜４を用いて説明する。
【００２０】
（１）第１開閉部材１０を操作して容器１と気体排出用ポンプ７との間を開放状態に、容器１と実験ガス導入用シリンダー８との間を閉鎖状態とした後、気体排出用ポンプ７を作動させると容器１内の気体が排出され、図２に示すように袋状部材３は容器１の内面側に張り付く。
（２）容器１内の気体が排出される間又は前後において、第２開閉部材１３を開状態とし、ピストン１５を引いて実験ガス貯留容器１１に封入されている実験ガスを実験ガス導入用シリンダー８に移す。
（３）容器１内の気体が排出され、かつ、実験ガスを実験ガス導入用シリンダー８に移し終えたら第２開閉部材１３を閉状態とし、図３に示すように第１の開閉部材１０を操作して容器１と気体排出用ポンプ７との間を閉鎖状態に、容器１と実験ガス導入用シリンダー８との間を開放状態とした後、ピストン１５を押して実験ガス導入用シリンダー８に移された実験ガスを容器１内に送り込む。
なお、実験ガスの実験ガス導入用シリンダー８への移動と、実験ガス導入用シリンダー８から容器１内への送り込みは、実験ガス導入用シリンダー８の容積が小さい場合には複数回繰り返す必要がある。
【００２１】
（４）図４に示すように、プレート１６の中央部に粘土１７を盛り、第１の孔部４より大きな直径の円盤状とした後、粘土１７の中央に線香１８を立てて先端部に火を付けておく。
（５）容器１を持ち上げ、線香１８の先端を第１の孔部４を塞いでいるポリエチレンフィルム５に近づけてポリエチレンフィルム５が溶けてポリエチレンフィルム５に穴が形成されたら容器１をまっすぐに降ろし、第１の孔部４を粘土１７に押し付ける。上記穴は燃焼体が貫通できる最小の径とすることや、上記穴が形成された後にすみやかに孔部４を粘土１７に押し付けることで、容器１の内部の実験ガスが容器１の外部に漏れることをより確実に防ぐことが可能となる。
（６）線香１８が容器１内に挿入された時点でストップウォッチを作動させ、容器１の透明な側面を通して線香１８の燃焼状態を観察し、線香１８の火が消えた時点でストップウォッチを止めて燃焼時間を記録する。
【００２２】
図５は上記の観察を各種実験ガスについて行い記録した燃焼時間をグラフ化したもの、すなわち、各種実験ガスの酸素濃度と燃焼体の燃焼時間の関係を示すグラフである。
このグラフからヘリウムと酸素の混合気体では酸素濃度が２４％程度以上、二酸化炭素と酸素の混合気体では酸素濃度が１８％程度以上、窒素と酸素の混合気体では酸素濃度が１５％程度以上でないと燃焼が継続しないことが分かり、アルゴンと酸素の混合気体では酸素濃度が９％程度でもある程度燃焼が継続することが分かる。
このように、学校等において、上記のような観察を繰り返し、グラフを作成してみることで物が燃焼するのに必要な酸素濃度についての理解や、消火に役立つガスの種類についての理解を深めることができる。
【００２３】
実施例１において、実験ガス貯留容器１１に各種の混合気体を封入するには、酸素ガスボンベ、ヘリウムガスボンベ、二酸化炭素ガスボンベ等と実験ガス貯留容器１１とを流量計を有する適宜の管で接続し、実験ガス貯留容器１１に所望の量のガスを送り込んだ後、実験ガス貯留容器１１の接続部に蓋をしておけば良い。
しかし、流量計がない場合には、図６に示す実験ガス貯留容器１１に各種ガスを計量して封入する装置を用いる。
図６に示すガス計量封入装置を用いて、実験ガス貯留容器１１に混合気体を封入する手順を以下に説明する。
【００２４】
（１）内部の気体を排出してある実験ガス貯留容器１１及び１種類のガス（例えば酸素ガス）を封入してあるテドラーバッグ１９とシリンジ２０とを、図６のように３方コック２１を有する管路２２により接続する。
（２）３方コック２１を操作して実験ガス貯留容器１１とシリンジ２０との間を閉鎖状態に、テドラーバッグ１９とシリンジ２０との間を開放状態とする。
（３）ピストンを引いて酸素を所定量シリンジ２０に取り込む。
（４）３方コック２１を操作してテドラーバッグ１９とシリンジ２０との間を閉鎖状態に、実験ガス貯留容器１１とシリンジ２０との間を開放状態とする。
（５）ピストンを押して酸素を所定量実験ガス貯留容器１１に送り込む。
（６）１種類のガスを封入してあるテドラーバッグ１９を他の種類のガス（例えばヘリウムガス）を封入してあるテドラーバッグに交換する。
（７）（２）〜（５）と同じ手順で所定量のヘリウムガスを実験ガス貯留容器１１に送り込む。
（８）酸素ガス及びヘリウムガス（酸素・ヘリウム混合気体）が封入された実験ガス貯留容器１１を外し、実験ガス貯留容器１１の接続部に蓋をする。
【００２５】
上記の作業を酸素ガスとヘリウムガスの量を変えて行うことによって、実験ガス貯留容器１１に様々な酸素濃度の酸素・ヘリウム混合気体を封入することができる。
さらに、酸素ガスとヘリウムガスだけでなく、酸素ガスと炭酸ガス、酸素ガスと窒素ガス、酸素ガスとアルゴンガスについて同様の作業を繰り返すことで、実験ガス貯留容器１１に様々な酸素濃度の各種混合気体を予め封入しておくことができる。
そして、事前に様々な酸素濃度の各種混合気体を用意しておくことで、実験を短時間で行うことが可能となる。
【００２６】
図７は図５の酸素濃度を対数で表したグラフである。
時間変化が拡散燃焼による線香の周囲の酸素濃度の変化に対応するものと仮定し、図７の燃焼時間５００秒に対する切片から燃焼が持続するために必要な酸素濃度を決定した。
その結果、必要酸素濃度は次のとおりとなった。
（１）酸素・ヘリウム混合気体  ：切片１．７０６＝２３．２％
（２）酸素・二酸化炭素混合気体：切片１．４５９＝１６．４％
（３）酸素・窒素混合気体      ：切片１．４０９＝１４．９％
（４）酸素・アルゴン混合気体  ：切片１．３１８＝１２．０％
【００２７】
このように、実験結果を分析して燃焼が持続するために必要な酸素濃度が、酸素と混合するガスの種類によって異なることを理解することによって、消火における二酸化炭素の役割や、消火時の酸素濃度・二酸化炭素濃度に関する誤った概念を的確に払拭することができる。
さらに、酸素以外の気体が燃焼において果たす役割は、可燃物と酸素の結合（燃焼）によって生じる熱を奪い、温度を下げることであると解説することによって、気体の熱容量と熱伝導の違いを実験結果から的確に把握してもらうことができるので、気体の熱容量や熱伝導といった性質を学習するための実験教材としても有効である。
【実施例２】
【００２８】
図８は実施例２に係る燃焼観察実験装置の一部を示す斜視図である。
実施例２に係る燃焼観察実験装置は、実施例１の容器１を、市販の容量１０００〜２０００ｍｌ程度のペットボトルの胴体部分を切り取ってなる透明な硬質材料製の上部容器２３と、市販の容量５００〜２０００ｍｌ程度のペットボトルを切ってなる透明な硬質材料製の下部容器２４を組み合わせたものに代え、上部容器２３の両側にある開口部２５を覆うポリエチレン袋等の柔軟な袋状部材２６を設けるとともに、ペットボトルの注ぎ口にあたる孔部２７に開閉部材２８を取付けてあるところが、実施例１と異なる点である。
なお、開口部２５を覆う２つの袋状部材２６は、膨らんだ時の容積の和が上部容器２３と下部容器２４の内容積の和以上となるものである。
また、下部容器２４の容積は小さい方が、容器内の気体を排出する際に袋状部材２６が下部容器２４の内面に張り付き易く、容器内の空気をより良く排出できる点で好ましい。
そして、実施例１では第１管路９が第２孔部６に常時接続されていたが、実施例２において第１管路９は容器内の気体を排出する時と容器内に実験ガスを送り込む時に接続され、孔部２７から燃焼体を挿入するときには外すことができるようになっている。
【００２９】
以下、実施例２の燃焼観察実験装置を利用して、燃焼体が濃度調整された実験ガスの中で燃焼するかしないかを観察する方法を説明する。
【００３０】
（１）孔部２７と第１管路９を接続し、開閉部材２８を操作して孔部２７を開放状態に、第１の開閉部材１０を操作して下部容器２４と気体排出用ポンプ７との間を開放状態に、下部容器２４と実験ガス導入用シリンダー８との間を閉鎖状態とした後、気体排出用ポンプ７を作動させると上部容器２３及び下部容器２４内部の気体が排出され、袋状部材２６は上部容器２３及び下部容器２４の内面側に張り付く。
（２）上部容器２３及び下部容器２４内部の気体が排出される間又は前後において、第２開閉部材１３を開状態とし、ピストン１５を引いて実験ガス貯留容器１１に封入されている実験ガスを実験ガス導入用シリンダー８に移す。（実施例１と同じ。）
（３）上部容器２３及び下部容器２４内部の気体が排出され、かつ、実験ガスを実験ガス導入用シリンダー８に移したら第２開閉部材１３を閉状態とし、第１の開閉部材１０を操作して下部容器２４と気体排出用ポンプ７との間を閉鎖状態に、下部容器２４と実験ガス導入用シリンダー８との間を開放状態とした後、ピストン１５を押して実験ガス導入用シリンダー８に移された実験ガスを上部容器２３及び下部容器２４内に送り込む。（実施例１と同じ。）
【００３１】
（４）開閉部材２８を操作して孔部２７を閉鎖状態とした後、第１管路９を孔部２７から外す。また、プレートの中央部に粘土１７を盛り、孔部２７より大きな直径の円盤状とした後、粘土の中央部にロウソクを立てて火を付けておく。
なお、実施例１では燃焼体の真上にポリエチレン袋が位置するため線香１８を用いたが、実施例２では燃焼体の真上がペットボトルなのでロウソクをはじめ、線香より火力の強い燃焼性の有機固形物を用いることができる。
（５）上部容器２３及び下部容器２４を持ち上げ、孔部２７をロウソクの上部に位置させた後、開閉部材２８を操作して孔部２７を開放状態にし、素早く孔部２７をまっすぐに降ろして孔部２７を粘土に押し付ける。
（６）ロウソクが上部容器２３内に挿入された時点でストップウォッチを作動させ、下部容器２４又は上部容器２３の透明な側面を通してロウソクの燃焼状態を観察し、ロウソクの火が消えた時点でストップウォッチを止めて燃焼時間を記録する。
【００３２】
上記の観察や記録を各種実験ガスについて行い、記録した燃焼時間をグラフ化することにより物が燃焼するのに必要な酸素濃度についての理解や、消火に役立つガスの種類についての理解を深めることができる点、酸素濃度を対数で表したグラフを作成して、燃焼が持続するために必要な酸素濃度を決定する点等については、実施例１と同様である。
【００３３】
実施例１及び２の燃焼観察実験装置に関する変形例を列記する。
（１）実施例１及び２では、透明な硬質材料製の容器を、入手及び加工のし易いペットボトルを切って製作したが、ペットボトルに限らずガラス瓶や樹脂製の筒等を加工して製作しても良い。
なお、容器には、気体濃度計のニードルを刺すための開閉可能な穴を備えていても良い。
また、実施例２では、上部容器２３及び下部容器２４をいずれも透明なペットボトルを加工して製作したが、上部容器２３と下部容器２４の材質は異なっていても良く、いずれか一方が透明であれば他方は不透明なものであっても良い。
特に、燃焼体の火力が強い場合、上部容器２３は難燃性で耐熱性の高い材質のものを用いて製作した方が良い。
（２）実施例１及び２では、開口部２、２５を覆う柔軟な袋状部材３、２６として、入手し易いポリエチレン袋を用いたが、柔軟な袋状部材としては気体を容易に透過させない材質のものであれば、ポリエチレン袋に限らず、ゴム袋や樹脂コーティングの施された布袋等を用いても良い。
（３）実施例１及び２においては、実験ガス貯留容器１１に封入されている実験ガスを実験ガス導入用シリンダー８に移した後、容器内に実験ガスを送り込んだが、流量を正確に計測できる流量計を用い、各種ガスボンベから直接容器内に各種のガスを所定量送り込むようにしても良い。
（４）実施例１及び２の実験ガス貯留容器１１は、実験ガス導入用シリンダー８を接続したまま、次の実験ガスを袋体１１ｃ内に導入することができるように、２つの通気口１１ａ、ｂを有しているが、第２管路１２を外せば実験ガスを通気口１１ａから袋体１１ｃに導入できるので、通気口１１ｂは設けなくても良い。
（５）実施例１では円形の開口部２を１つ、実施例２では円形の開口部２５を２つ設けたが、開口部の形状や数は容器の容量と袋状部材が膨らんだ時の容積との関係や容器内面への張り付き易さ等とを考慮して適宜決定すれば良い。
（６）実施例１においては、第２孔部６と気体排出用ポンプ７及び実験ガス導入用シリンダー８を第１管路９で接続したが、第２孔部６とは別に第３孔部を追加して、第２孔部６には気体排出用ポンプ７だけを接続し、第３孔部には実験ガス導入用シリンダー８だけを接続しても良い。
そうした場合、第２孔部６と気体排出用ポンプ７は、開閉部材を設けた管路で接続することとなり、第３孔部と実験ガス導入用シリンダー８及び実験ガス貯留容器１１は実施例１と同様の構成により接続することとなる。
（７）実施例１においては、第１孔部４を塞ぐためにポリエチレンフィルム５を用いたが、燃焼体の熱によって融解可能な他のプラスチック製シートを用いても良い。
（８）実施例２の下部容器においては、第１孔部４を塞ぐためにポリエチレンフィルム５を用いたが、燃焼体の熱によって融解可能な他のプラスチック製シートを用いても良い。
【符号の説明】
【００３４】
１  容器      ２  開口部      ３  袋状部材      ４  第１孔部
５  ポリエチレンフィルム      ６  第２孔部      ７  気体排出用ポンプ
８  実験ガス導入用シリンダー      ９  第１管路      １０  第１開閉部材
１１  実験ガス貯留容器      １１ａ、ｂ  通気口      １１ｃ  袋体
１２  第２管路      １３  第２開閉部材      １４  蓋      １５  ピストン
１６  プレート      １７  粘土      １８  線香      １９  テドラーバッグ
２０  シリンジ      ２１  ３方コック      ２２  管路
２３  上部容器      ２４  下部容器      ２５  開口部
２６  袋状部材      ２７  孔部      ２８  開閉部材
【図１】
2017026720.tif 000003
【図２】
2017026720.tif 000004
【図３】
2017026720.tif 000005
【図４】
2017026720.tif 000006
【図６】
2017026720.tif 000007
【図８】
2017026720.tif 000008
【図５】
2017026720.tif 000009
【図７】
2017026720.tif 000010